(57)【要約】【課題】  被包装物又は被包装物受け部材を簡単な操作で収容することができる包装用容器を提供すること。【解決手段】  包装用容器Ａ1は、腰のあるシート材から製作されており、提手付き容器本体１を備える。容器本体１は、底壁と、該底壁の周縁に底壁に対して立ち上がり状に設けられた四個の側壁6,7とを有する。底壁の中央部に、被包装物Ｈ又は被包装物受け部材Ｕが嵌め込まれて保持される保持孔25が設けられている。底壁の保持孔周縁に、底壁を容器載置面から浮き上がり状に支持する二個の支持片３が折目を介して連設されるとともに、支持片３が折目から下方突出状に折り曲げられている、そして、支持片３に、該支持片３の下方突出状態を保持する保持部材20が取り付けられている。【選択図】      図６
2005132379.tif 000002
【特許請求の範囲】
【請求項１】
腰のあるシート材から製作され、底壁（２）の周縁に複数個の側壁（６）（６）（７）（７）が前記底壁（２）に対して立ち上がり状に設けられた容器本体（１）を備え、
前記底壁（２）の一部に、被包装物（Ｈ）又は被包装物受け部材（Ｕ）が嵌め込まれて保持される保持孔（５）が設けられ、
前記底壁（２）の保持孔周縁に、前記底壁（２）を容器載置面（Ｓ）から浮き上がり状に支持する複数個の支持片（３）（３）が折目（35）を介して連設されるとともに、前記支持片（３）が前記折目（35）から下方突出状に折り曲げられ、
前記支持片（３）に、該支持片の下方突出状態を保持する保持部材（20）が取り付けられていることを特徴とする包装用容器。
【請求項２】
前記複数個の支持片（３）（３）は、前記底壁（２）の保持孔周縁における互いに離間した複数の部位に連設されており、
前記保持部材（20）は、腰のあるシート材から製作されるとともに、前記底壁（２）の上面に重合される重合片（21）を有し、
前記重合片（21）の前記保持孔（５）に対応する位置に、被包装物（Ｈ）又は被包装物受け部材（Ｕ）が嵌め込まれて保持される第２保持孔（25）が設けられ、
前記重合片（21）が前記底壁（２）の上面に重合された状態のもとで、前記重合片（21）の第２保持孔周縁における、互いに隣り合う２個の支持片（３）（３）間に位置する部位に、第２折目（39）を介して連設された保持片（23）が、前記第２折目（39）から下方突出状に折り曲げられるとともに、前記保持片（23）の側縁部に設けられた係止片（24）が、当該保持片と隣接する前記支持片（３）の側縁部に設けられた被係止部（4a）に係止されることにより、前記支持片（３）の下方突出状態と前記保持片（23）の下方突出状態とが保持されている請求項１記載の包装用容器。
【請求項３】
前記底壁（２）の保持孔周縁の前記折目（35）に、前記底壁（２）の下面側から底壁（２）の肉厚の略半分の深さまで切り込まれた第１半切り線（41）が前記折目（35）に沿って設けられるとともに、
前記重合片（21）の第２保持孔周縁の前記第２折目（39）に、前記重合片（21）の下面側から重合片（21）の肉厚の略半分の深さまで切り込まれた第２半切り線（42）が前記第２折目（39）に沿って設けられている請求項２記載の包装用容器。
【請求項４】
前記重合片（21）が前記底壁（２）の上面に重合された状態のもとで、前記重合片（21）の周縁に設けられた差込み突部（22）が、前記側壁（６）の下端部に設けられた差込み孔（18）に差込み係止されている請求項２又は３記載の包装用容器。
【請求項５】
前記容器本体（１）の前記複数個の側壁（６）（６）（７）（７）のうち少なくとも１個の側壁は、前記底壁（２）の周縁に第３折目（30）を介して設けられるとともに、前記第３折目（30）から外側へ略水平状に折り曲げ可能なものである請求項１〜４のいずれか１項記載の包装用容器。
【請求項６】
腰のあるシート材から製作され、四角形状の第１底壁（2A）の前後両縁に互いに対向する一対の前後両側壁（６）（６）が前記第１底壁（2A）に対して立ち上がり状に設けられた容器本体第１構成片（1A）と、
腰のあるシート材から製作され、前記第１底壁（2A）の上面に重合される四角形状の第２底壁（2B）の左右両縁に互いに対向する一対の左右両側壁（７）（７）が前記第２底壁（2B）に対して立ち上がり状に設けられた容器本体第２構成片（1B）と、を備え、
前記第２底壁（2B）が前記第１底壁（2A）の上面に重合されることにより、前後左右の四側壁（６）（６）（７）（７）を有する容器本体（１）が形成され、
前記第１底壁（2A）の一部に、被包装物（Ｈ）又は被包装物受け部材（Ｕ）が嵌め込まれて保持される第１保持孔（５）が設けられ、
前記第１底壁（2A）の第１保持孔周縁に、前記第１底壁（2A）を容器載置面（Ｓ）から浮き上がり状に支持する複数個の支持片（３）（３）が第１折目（35）を介して連設されるとともに、前記支持片（３）が前記第１折目（35）から下方突出状に折り曲げられ、
前記第２底壁（2B）の前記第１保持孔（５）に対応する位置に、被包装物（Ｈ）又は被包装物受け部材（Ｕ）が嵌め込まれて保持される第２保持孔（25）が設けられ、
前記第２底壁（2B）が前記第１底壁（2A）の上面に重合された状態のもとで、前記第２底壁（2B）の第２保持孔周縁における、互いに隣り合う２個の支持片（３）（３）間に位置する部位に、第２折目（39）を介して連設された保持片（23）が、前記第２折目（39）から下方突出状に折り曲げられるとともに、前記保持片（23）の側縁部に設けられた係止片（24）が、当該保持片と隣接する前記支持片（３）の側縁部に設けられた被係止部（4a）に係止されることにより、前記支持片（３）の下方突出状態と前記保持片（23）の下方突出状態とが保持されていることを特徴とする包装用容器。
【請求項７】
前記第１底壁（2A）の第１保持孔周縁の前記第１折目（35）に、前記第１底壁（2A）の下面側から第１底壁（2A）の肉厚の略半分の深さまで切り込まれた第１半切り線（41）が前記第１折目（35）に沿って設けられるとともに、
前記第２底壁（2B）の第２保持孔周縁の前記第２折目（39）に、前記第２底壁（2B）の下面側から第２底壁（2B）の肉厚の略半分の深さまで切り込まれた第２半切り線（42）が前記第２折目（39）に沿って設けられている請求項６記載の包装用容器。
【請求項８】
前記第２底壁（2B）が前記第１底壁（2A）の上面に重合された状態のもとで、前記第２底壁（2B）の前後両縁に設けられた差込み突部（22）が、前記容器本体第１構成片（1A）の前後両側壁（６）の下端部に設けられた差込み孔（18）に差込み係止されている請求項６又は７記載の包装用容器。
【請求項９】
前記第１底壁（2A）の左右両縁に折目（47）を介して設けられた第１折返し片（46）が、前記折目（47）から折り返されて前記第１底壁（2A）の上面又は下面に重合され、又は／及び、前記第２底壁（2B）の前後両縁に折目（49）を介して設けられた第２折返し片（48）が、前記折目（49）から折り返されて前記第２底壁（2B）の上面又は下面に重合されている請求項６〜８のいずれか１項記載の包装用容器。
【請求項１０】
前記容器本体（１）の前記四側壁（６）（６）（７）（７）のうち少なくとも１個の側壁は、前記第１底壁（2A）又は第２底壁（2B）の周縁に第３折目（30）を介して設けられるとともに、前記第３折目（30）から外側へ略水平状に折り曲げ可能なものである請求項６〜９のいずれか１項記載の包装用容器。
【発明の詳細な説明】
【技術分野】
【０００１】
この発明は、観賞植物をはじめ、様々な被包装物を持ち運ぶ際に好適に用いられる包装用容器に関する。
【背景技術】
【０００２】
被包装物として例えば鉢植えの花を花屋で購入した場合、その花は一般に提手付袋のなかに鉢ごと入れられ、購入者が提手を持って持ち運ぶものとなされている。しかしながら、このように花を袋のなかに入れた状態で持ち運ぶと、その途中で購入者が誤って袋を障害物にぶつけたときに袋のなかの花が損傷する虞があった。
【０００３】
一方、鉢植えの花を入れる入れ物として、上述した袋ではなく、保形性を有する容器が用いられることがある。この容器によれば、そのなかに花を鉢ごと収容することにより、花を容器で保護し、この状態で容器を持ち運ぶことにより、上述した不具合を回避できるものとなされている。而して、この容器では、花は起立姿勢で収容されていることが望ましい。その理由は次のとおりである。すなわち、花が起立姿勢で収容されるのではなく、横に寝かせられた姿勢で収容される場合には、鉢のなかの土や水等の内容物がこぼれ出てしまうことはもとより、花が自重で容器内面に強く接触し、持ち運び時の振動で花が擦れて傷付いてしまう等の不具合が生じるからである。
【０００４】
このように花を起立姿勢で収容できる容器として、従来より様々なものが知られている（例えば特許文献１参照。）。
【特許文献１】特開平７−２３２７８２号公報（請求項１、第１及び２図）
【発明の開示】
【発明が解決しようとする課題】
【０００５】
ところで、鉢等の受け部材で受けられた観賞植物（被包装物）を受け部材ごと収容可能な容器においては、持ち運び時の振動で受け部材が容器内で動き、観賞植物が容器内面に接触して擦れたり、更には受け部材が倒れたりすることがある。そのような不具合を防止するため、本発明者らは、容器の底壁の中央部に、受け部材を嵌め込んで保持する保持孔を設けることを考えた。
【０００６】
しかしながら、この構成の容器によれば、上述した不具合を解消できる反面、次のような難点があった。すなわち、観賞植物を容器内に包装する際には、通常、容器は包装作業台等の容器載置面に載置されるため、容器の底壁は容器載置面に面接触状態に当接し、底壁に設けた保持孔が容器載置面で閉塞された状態になっている。この状態のままでは、受け部材を保持孔に嵌め込むことができないため、容器を片手で持ち上げてその底壁を容器載置面から浮き上がらせた状態にしてから、他方の片手で受け部材を掴んで保持孔に嵌め込まなければならず、煩わしい収容作業を行う必要があった。
【０００７】
さらに、この構成の容器では、受け部材を保持孔に嵌め込む際には、受け部材を片手で掴まなければならないので、受け部材が片手では掴み難い大きさや形状であったり、あるいは重かったりした場合には、嵌め込み操作を行い難いという難点があった。
【０００８】
この発明は、上述した技術背景に鑑みてなされたもので、その目的は、被包装物又は被包装物受け部材を簡単に包装することができる包装用容器を提供することにある。
【課題を解決するための手段】
【０００９】
上記目的を達成するため、第１発明に係る包装用容器は、腰のあるシート材から製作され、底壁の周縁に複数個の側壁が前記底壁に対して立ち上がり状に設けられた容器本体を備え、前記底壁の一部に、被包装物又は被包装物受け部材が嵌め込まれて保持される保持孔が設けられ、前記底壁の保持孔周縁に、前記底壁を容器載置面から浮き上がり状に支持する複数個の支持片が折目を介して連設されるとともに、前記支持片が前記折目から下方突出状に折り曲げられ、前記支持片に、該支持片の下方突出状態を保持する保持部材が取り付けられていることを特徴としている（請求項１）。
【００１０】
この発明では、容器本体内に収容される被包装物の種類は限定されるものではなく、例えば、被包装物は、花物、葉物、実物等の観賞植物であっても良いし、食品であっても良いし、これら以外の物品であっても良い。被包装物が観賞植物である場合には、観賞植物は鉢に植えられたもの（即ち鉢植えのもの）であっても良いし、切り花や花束であっても良い。
【００１１】
また、被包装物受け部材の形状は限定されるものではなく、例えば、受け部材は、底の深いトレー状のものであっても良いし、底の浅いトレー状のものであっても良いし、これら以外の形状のものであっても良い。また、被包装物が鉢植えの観賞植物である場合には、受け部材は、観賞植物が植えられた鉢であっても良いし、鉢を収容するトレー状のものであっても良い。また、観賞植物が一般に「オアシス」と呼ばれる花止め部材に差し止められたものである場合には、受け部材は花止め部材を収容したトレー状のものが好適に用いられる。なお、花止め部材としては、合成樹脂製吸水スポンジ、ワイヤ、剣山等が用いられる。また、受け部材の材質は限定されるものではなく、例えば、受け部材は、後述する実施形態に示すように紙シート材から製作されたものであっても良いし、あるいはプラスチックシート材から製作されたものであっても良い。
【００１２】
また、前記複数個の支持片は、前記底壁の保持孔周縁における互いに離間した複数の部位に連設されており、前記保持部材は、腰のあるシート材から製作されるとともに、前記底壁の上面に重合される重合片を有し、前記重合片の前記保持孔に対応する位置に、被包装物又は被包装物受け部材が嵌め込まれて保持される第２保持孔が設けられ、前記重合片が前記底壁の上面に重合された状態のもとで、前記重合片の第２保持孔周縁における、互いに隣り合う２個の支持片間に位置する部位に、第２折目を介して連設された保持片が、前記第２折目から下方突出状に折り曲げられるとともに、前記保持片の側縁部に設けられた係止片が、当該保持片と隣接する前記支持片の側縁部に設けられた被係止部に係止されることにより、前記支持片の下方突出状態と前記保持片の下方突出状態とが保持されていることが望ましい（請求項２）。
【００１３】
また、前記底壁の保持孔周縁の前記折目に、前記底壁の下面側から底壁の肉厚の略半分の深さまで切り込まれた半切り線が前記折目に沿って設けられるとともに、前記重合片の第２保持孔周縁の前記第２折目に、前記重合片の下面側から重合片の肉厚の略半分の深さまで切り込まれた第２半切り線が前記第２折目に沿って設けられていることが望ましい（請求項３）。
【００１４】
また、前記重合片が前記底壁の上面に重合された状態のもとで、前記重合片の周縁に設けられた差込み突部が、前記側壁の下端部に設けられた差込み孔に差込み係止されていることが望ましい（請求項４）。
【００１５】
また、前記容器本体の前記複数個の側壁のうち少なくとも１個の側壁は、前記底壁の周縁に第３折目を介して設けられるとともに、前記第３折目から外側へ略水平状に折り曲げ可能なものであることが望ましい（請求項５）。
【００１６】
上記目的を達成するため、第２発明に係る包装用容器は、腰のあるシート材から製作され、四角形状の第１底壁の前後両縁に互いに対向する一対の前後両側壁が前記第１底壁に対して立ち上がり状に設けられた容器本体第１構成片と、腰のあるシート材から製作され、前記第１底壁の上面に重合される四角形状の第２底壁の左右両縁に互いに対向する一対の左右両側壁が前記第２底壁に対して立ち上がり状に設けられた容器本体第２構成片と、を備え、前記第２底壁が前記第１底壁の上面に重合されることにより、前後左右の四側壁を有する容器本体が形成され、前記第１底壁の一部に、被包装物又は被包装物受け部材が嵌め込まれて保持される第１保持孔が設けられ、前記第１底壁の第１保持孔周縁に、前記第１底壁を容器載置面から浮き上がり状に支持する複数個の支持片が第１折目を介して連設されるとともに、前記支持片が前記第１折目から下方突出状に折り曲げられ、前記第２底壁の前記第１保持孔に対応する位置に、被包装物又は被包装物受け部材が嵌め込まれて保持される第２保持孔が設けられ、前記第２底壁が前記第１底壁の上面に重合された状態のもとで、前記第２底壁の第２保持孔周縁における、互いに隣り合う２個の支持片間に位置する部位に、第２折目を介して連設された保持片が、前記第２折目から下方突出状に折り曲げられるとともに、前記保持片の側縁部に設けられた係止片が、当該保持片と隣接する前記支持片の側縁部に設けられた被係止部に係止されることにより、前記支持片の下方突出状態と前記保持片の下方突出状態とが保持されていることを特徴としている（請求項６）。
【００１７】
なお、第２発明に係る包装用容器の容器本体の前後左右方向は相対的なものであり、本第２発明では、容器本体の構成を理解し易くするために前後左右の語を用いて容器本体の構成を説明している。
【００１８】
また、前記第１底壁の第１保持孔周縁の前記第１折目に、前記第１底壁の下面側から第１底壁の肉厚の略半分の深さまで切り込まれた第１半切り線が前記第１折目に沿って設けられるとともに、前記第２底壁の第２保持孔周縁の前記第２折目に、前記第２底壁の下面側から第２底壁の肉厚の略半分の深さまで切り込まれた第２半切り線が前記第２折目に沿って設けられていることが望ましい（請求項７）。
【００１９】
また、前記第２底壁が前記第１底壁の上面に重合された状態のもとで、前記第２底壁の前後両縁に設けられた差込み突部が、前記容器本体第１構成片の前後両側壁の下端部に設けられた差込み孔に差込み係止されていることが望ましい（請求項８）。
【００２０】
また、前記第１底壁の左右両縁に折目を介して設けられた第１折返し片が、前記折目から折り返されて前記第１底壁の上面又は下面に重合され、又は／及び、前記第２底壁の前後両縁に折目を介して設けられた第２折返し片が、前記折目から折り返されて前記第２底壁の上面又は下面に重合されていることが望ましい（請求項９）。
【００２１】
また、前記容器本体の前記四側壁のうち少なくとも１個の側壁は、前記第１底壁又は第２底壁の周縁に第３折目を介して設けられるとともに、前記第３折目から外側へ略水平状に折り曲げ可能なものであることが望ましい（請求項１０）。
【発明の効果】
【００２２】
第１発明に係る包装用容器によれば（請求項１）、底壁の保持孔周縁に、底壁を容器載置面から浮き上がり状に支持する複数個の支持片が折目を介して連設されるとともに、複数個の支持片が折目から下方突出状に折り曲げられていることから、容器本体を容器載置面に載置した状態では、該容器本体の底壁は支持片によって容器載置面から浮き上がり状に支持されている。そのため、被包装物又は受け部材を保持孔に嵌め込む際に、わざわざ容器本体を持ち上げる必要がない。しかも、被包装物又は受け部材を両手で掴んで保持孔への嵌め込み操作を行うことができるので、もし仮に被包装物又は受け部材が片手では掴み難い大きさや形状のものであったり、あるいは重かったりした場合であっても、保持孔への嵌め込み作業、即ち包装作業を容易に行うことができる。
【００２３】
さらに、支持片に、該支持片の下方突出状態を保持する保持部材が取り付けられているから、支持片の下方突出状態が保持部材によって保持されている。そのため、被包装物又は受け部材を保持孔に嵌め込む際に、支持片がぐらつかなくなり、その結果、被包装物又は受け部材の保持孔への嵌め込み作業、即ち包装作業を更に容易に行うことができる。
【００２４】
また、複数個の支持片は、底壁の保持孔周縁における互いに離間した複数の部位に連設されており、保持部材は、腰のあるシート材から製作されるとともに、底壁の上面に重合される重合片を有し、重合片の保持孔に対応する位置に、被包装物又は被包装物受け部材が嵌め込まれて保持される第２保持孔が設けられ、重合片が底壁の上面に重合された状態のもとで、重合片の第２保持孔周縁における、互いに隣り合う２個の支持片間に位置する部位に、第２折目を介して連設された保持片が、第２折目から下方突出状に折り曲げられるとともに、保持片の側縁部に設けられた係止片が、当該保持片と隣接する支持片の側縁部に設けられた被係止部に係止されることにより、支持片の下方突出状態と保持片の下方突出状態とが保持されている場合（請求項２）には、次の効果を奏する。
【００２５】
すなわち、この場合には、容器本体の底部は、底壁と重合片とからなる二重壁に形成されるから頑丈になっている。そのため、被包装物が重いものであっても、容器本体の底部が被包装物の重みで湾曲したり更には容器本体の底が抜けたりする不具合を防止することができる。
【００２６】
さらに、保持部材の保持片の係止片が支持片の被係止部に係止されることにより、支持片の下方突出状態と保持片の下方突出状態とが保持されていることから、底壁の浮き上がり状態は支持片だけではなく係止片によっても支持されることになる。そのため、底壁の浮き上がり状態をしっかりと支持することができる。
【００２７】
さらに、係止片の被係止部への係止操作を、重合片を底壁の上面に重合させた状態で行い得るので、係止操作を容易に行うことができる。
【００２８】
また、底壁の保持孔周縁の折目に、底壁の下面側から底壁の肉厚の略半分の深さまで切り込まれた第１半切り線が折目に沿って設けられるとともに、重合片の第２保持孔周縁の第２折目に、重合片の下面側から重合片の肉厚の略半分の深さまで切り込まれた第２半切り線が第２折目に沿って設けられている場合（請求項３）には、次の効果を奏する。
【００２９】
すなわち、この場合には、底壁の保持孔周縁の折目に第１半切り線が設けられるので、この折目から支持片を確実に折り曲げることができる。しかも、この折目から支持片を下方突出状に折り曲げることにより、支持片に弾性復元力が蓄積され、この弾性復元力によって係止片の被係止部への係止状態を保持することができる。しかるに、本発明のように底壁の下面側から底壁の肉厚の略半分の深さまで切り込まれた第１半切り線が折目に設けられた場合における、該折目から下方突出状に折り曲げられた支持片に蓄積される弾性復元力と、これとは反対に、底壁の上面側から底壁の肉厚の略半分の深さまで切り込まれた半切り線が折目に設けられた場合における、該折目から下方突出状に折り曲げられた支持片に蓄積される弾性復元力とについて、その大きさを比較すると、前者の場合の方が弾性復元力が大きい。したがって、係止片の被係止部への係止状態を強固に保持することができる。
【００３０】
また保持片についても上と同じく、重合片の第２保持孔周縁の第２折目に第２半切り線が設けられるので、この第２折目から保持片を確実に折り曲げることができる。しかも、この第２折目から保持片を下方突出状に折り曲げることにより、保持片に弾性復元力が蓄積され、この弾性復元力によって係止片の被係止部への係止状態を保持することができる。しかるに、本発明のように重合片の下面側から重合片の肉厚の略半分の深さまで切り込まれた第２半切り線が第２折目に設けられた場合における、該第２折目から下方突出状に折り曲げられた保持片に蓄積される弾性復元力と、これとは反対に、重合片の上面側から重合片の肉厚の略半分の深さまで切り込まれた半切り線が第２折目に設けられた場合における、該第２折目から下方突出状に折り曲げられた保持片に蓄積される弾性復元力とについて、その大きさを比較すると、前者の場合の方が弾性復元力が大きい。したがって、係止片の被係止部への係止状態を更に強固に保持することができる。
【００３１】
また、重合片が底壁の上面に重合された状態のもとで、重合片の周縁に設けられた差込み突部が、側壁の下端部に設けられた差込み孔に差込み係止されている場合（請求項４）には、次の効果を奏する。
【００３２】
すなわち、この場合には、重合片の差込み突部が差込み孔に差込み係止されることにより、重合片が底壁の上面に重合された状態に保持される。したがって、容器本体の底部の二重壁構造を確実に保持することができる。
【００３３】
また、複数個の側壁のうち少なくとも１個の側壁は、底壁の周縁に第３折目を介して設けられるとともに、第３折目から外側へ略水平状に折り曲げ可能なものである場合（請求項５）には、次の効果を奏する。
【００３４】
すなわち、この場合には、被包装物を容器本体内に入れたり出したりする際において、この側壁を外側へ略水平状に折り曲げることにより、容器本体の側面が開口し、この開口を通じて被包装物を容器本体内に入れたり出したりすることができる。そのため、包装作業を更に容易に行うことができるし、被包装物の取出し作業も行い易いという利点がある。
【００３５】
第２発明に係る包装用容器（請求項６）は、上記第１発明に係る包装用容器と同じ利点を有することはもとより、更に次の利点を有する。すなわち、この包装用容器は、所定の容器本体第１構成片と容器本体第２構成片とを備え、第２構成片の第２底壁が第１構成片の第１底壁の上面に重合されることにより、前後左右の四側壁を有する容器本体が形成されたものであるから、容器本体（即ち容器）を保管や運搬する際に、これを第１構成片と第２構成片とに分離することができる。そのため、容器本体をコンパクトな状態で保管・運搬することができる。
【００３６】
また、第１底壁の第１保持孔周縁の第１折目に、第１底壁の下面側から第１底壁の肉厚の略半分の深さまで切り込まれた第１半切り線が第１折目に沿って設けられるとともに、第２底壁の第２保持孔周縁の第２折目に、第２底壁の下面側から第２底壁の肉厚の略半分の深さまで切り込まれた第２半切り線が前記第２折目に沿って設けられている場合（請求項７）には、上記請求項３の発明に係る包装用容器と同じ利点がある。
【００３７】
また、第２底壁が第１底壁の上面に重合された状態のもとで、第２底壁の前後両縁に設けられた差込み突部が、容器本体第１構成片の前後両側壁の下端部に設けられた差込み孔に差込み係止されている場合（請求項８）には、上記請求項４の発明に係る包装用容器と同様に、第２底壁が第１底壁の上面に重合された状態に保持される。したがって、容器本体の底部の二重壁構造を確実に保持することができる。
【００３８】
また、第１底壁の左右両縁に折目を介して設けられた第１折返し片が、前記折目から折り返されて第１底壁の上面又は下面に重合され、又は／及び、第２底壁の前後両縁に折目を介して設けられた第２折返し片が、前記折目から折り返されて第２底壁の上面又は下面に重合されている場合（請求項９）には、次の効果を奏する。
【００３９】
すなわち、この場合には、第１折返し片が第１底壁の上面又は下面に重合されることにより、第１底壁がこの第１折返し片によって補強される。これと同じく、第２折返し片が第２底壁の上面又は下面に重合されることにより、第２底壁がこの第２折返し片によって補強される。そのため、被包装物が重いものであっても、容器本体の底部が被包装物の重みで湾曲したり更には容器本体の底が抜けたりする不具合をより一層確実に防止することができる。
【００４０】
また、容器本体の四側壁のうち少なくとも１個の側壁は、第１底壁又は第２底壁の周縁に第３折目を介して設けられるとともに、第３折目から外側へ略水平状に折り曲げ可能なものである場合（請求項１０）には、上記請求項５の発明に係る包装用容器と同じ利点がある。
【発明を実施するための最良の形態】
【００４１】
次に、この発明の好ましい幾つかの実施形態について図面を参照して説明する。
【００４２】
まず、第１発明の一実施形態（以下、「第１実施形態」という。）に係る包装用容器を説明する。
【００４３】
図１において、（Ａ1）は、第１実施形態の包装用容器である。図２において、（Ｈ）は被包装物としての観賞植物、（Ｕ）は観賞植物（Ｈ）を受ける観賞植物受け部材（被包装物受け部材）である。
【００４４】
観賞植物（Ｈ）は、本第１実施形態では切り花からなり、この切り花が起立姿勢の状態でその下部が花止め部材（53）に挿されることにより、起立姿勢に保持されている。花止め部材（53）は、水を含んだオアシスからなり、例えば吸水スポンジが用いられている。
【００４５】
受け部材（Ｕ）は、上面が開口した比較的底の深いトレー状の紙製容器からなり（図４参照）、詳述すると、四角形状の底壁（51）と、該底壁（51）の周縁に底壁（51）に対して斜め立ち上がり状に設けられた四個の側壁（52）（52）（52）（52）とを有している。この受け部材（Ｕ）は、腰のあるシート材から製作され、詳述すると紙シート材から製作されたものであり、このシート材の所定部位が折り曲げられることにより、受け部材（Ｕ）が製作されている。そして、この受け部材（Ｕ）内に花止め部材（53）が収容されることにより、観賞植物（Ｈ）が下から受け部材（Ｕ）で受けられている。
【００４６】
なお、この発明では、受け部材（Ｕ）は、腰のあるプラスチックシート材から製作されたものであっても良いし、これ以外のシート材から製作されたものであっても良いし、あるいはプラスチック成形品やパルプモールド成形品からなるものであっても良い。また、受け部材（Ｕ）の内面には、防水処理層が形成されていても良いし、プラスチックフィルムが積層されていても良い。
【００４７】
この包装用容器（Ａ1）は、図２に示すように、観賞植物（Ｈ）を受け部材（Ｕ）ごと収容して包装するものであり、図１〜図４に示すように、提手付の紙製容器本体（１）と、該容器本体（１）とは別体の紙製保持部材（20）と、を備えている。
【００４８】
容器本体（１）は、腰のある紙シート材から折曲げ製作されたものであり、図７に展開図で示すように、多角形状の底壁（２）と、該底壁（２）の周縁に底壁（２）に対して立ち上がり状に設けられた複数個の側壁（６）（６）（７）（７）と、提手片（12）とを有している。本第１実施形態では、容器本体（１）は紙段ボール材又は厚紙材（肉厚：例えば０．５〜４ｍｍ）から製作されており、また底壁（２）は四角形状（詳述すると正方形）であり、側壁（６）（６）（７）（７）の個数は四個である。本第１実施形態では、説明の便宜上、四側壁（６）（６）（７）（７）をそれぞれ「前側壁（６）」、「後側壁（６）」、「左側壁（７）」及び「右側壁（７）」と呼ぶ。ただし、この発明に係る包装用容器の容器本体の前後左右方向は相対的なものであり、本第１実施形態の包装用容器（Ａ1）の容器本体（１）の前後左右方向に限定されるものではない。
【００４９】
容器本体（１）は、図７に示した展開状態のままで保管され、店頭等で包装する際に所定形状に組み立てられるものである。
【００５０】
容器本体（１）の前側壁（６）、後側壁、（６）、左側壁（７）及び右側壁（７）は、それぞれ、底壁（２）の周縁における前縁、後縁、左縁及び右縁に折目（第３折目）（30）を介して連設されるとともに、該折目（30）から底壁（２）に対して立ち上がり状（詳述すると垂直立ち上がり状）に折り曲げられている。さらに、こうして折り曲げられた四側壁（６）（６）（７）（７）は、いずれも、容器本体（１）外側へ略水平状に該折目（30）から折り曲げることができるものとなされている。左右各側壁（７）（７）の上縁には折目（31）を介して上壁片（９）（９）が連設されている。そして、両上壁片（９）（９）が折目（31）から内側に略水平状に折り曲げられることによって、図１に示すように、該両上壁片（９）（９）からなる上壁（10）が形成されている。
【００５１】
さらに、各上壁片（９）（９）の先端縁には折目（32）を介して略門形状の提手構成片（11）（11）が連設されている。この提手構成片（11）の両端部には略上方突出状の係止突部（13）が設けられている。そして、両提手構成片（11）（11）が折目（32）から上壁（10）（上壁片（９））に対して立ち上がり状に折り曲げられて互いに合掌状に重合されることにより、提手片（12）が形成されている。
【００５２】
左右各側壁（７）（７）の両側縁には、折目（33）を介して内フラップ（８）（８）が連設されている。そして、図６に示すように、両内フラップ（８）（８）が折目（33）から内側に左右各側壁（７）（７）に対して垂直に折り曲げられている。また、内フラップ（８）の上縁には差込み片抜止め用爪片（8a）が突設されている。
【００５３】
前後各側壁（６）（６）の上縁には、折目（34）を介して差込み片（15）（15）が設けられている。また、差込み片（15）の基端の両側部には切欠き部（6a）（6a）が設けられている。そして、この差込み片（15）が折目（34）から前後各側壁（６）（６）に対して垂直に折り曲げられて、該差込み片（15）が上壁（10）と両内フラップ（８）（８）の上縁との間の隙間に差し込まれることにより、前後各側壁（６）（６）が底壁（２）に対して立ち上がり状に保持されている。さらに、この状態で、爪片（8a）に切欠き部（6a）が係止されることにより、差込み片（15）が不本意に抜出しないものとなされて、前後各側壁（６）（６）の立ち上がり状態が保持されている。
【００５４】
さらに、図７に示すように、前後各側壁（６）（６）の上部の中央部には、その上縁に両端が位置された略円弧状乃至Ｕ字状の切目（45）と、該切目（45）の両端を真っ直ぐに繋ぐ態様にして上縁に沿って延びた折目（36）とが設けられている。そして、この切目（45）と折目（36）とで囲まれた部位からなる舌状の提手用保持片（16）が、図６に示すように切目（45）から切り起こされて形成されている。一方、こうして提手用保持片（16）が前後各側壁（６）の一部から切り起こし形成されることにより、前後各側壁（６）（６）には、提手用保持片（16）（16）の除去孔からなる開孔（14）が生じている。
【００５５】
提手用保持片（16）は、両提手構成片（11）（11）を合掌状に保持するためのものである。この提手用保持片（16）には、縦方向に延びた切目からなる差込み孔（17）が設けられている。そして、両提手構成片（11）（11）が合掌状に重合された状態で、両係止突部（13）（13）がこの差込み孔（17）に差し込まれて係止されることにより、両提手構成片（11）（11）が合掌状に保持されている。これにより、四側壁（６）（６）（７）（７）が不本意に折目（30）から外側へ折り曲げられる不具合が防止される。なお、（37）は、差込み孔（17）に両係止突部（13）（13）を差し込み易くするための折目である。
【００５６】
容器本体（１）の底壁（２）の中央部には、図７に示すように、受け部材（Ｕ）が嵌め込まれて保持される保持孔（５）が設けられている。この保持孔（５）は、受け部材（Ｕ）の底壁（51）よりも大きく且つ受け部材（Ｕ）の上面開口よりも小さな平面視四角形状（詳述すると正方形）に形成されている。そして、図４及び図５に示すように、この保持孔（５）内に上から受け部材（Ｕ）が嵌め込まれることにより、受け部材（Ｕ）の四側壁（52）（52）（52）（52）の高さ方向中間部が保持孔（５）の周縁に引っ掛かり、これにより受け部材（Ｕ）が保持孔（５）で保持されるものとなされている。こうして受け部材（Ｕ）が保持された状態では、図２に示すように、受け部材（Ｕ）の底壁（51）は容器本体（１）の底壁（２）よりも下側に配置される。
【００５７】
容器本体（１）の底壁（２）の保持孔（５）周縁における互いに離間した複数の部位には、図７に示すように、折目（第１折目）（35）を介して複数個の支持片（３）（３）が連設されている。詳述すると本第１実施形態では、支持片（３）の個数は２個であって、この２個の支持片（３）（３）が底壁（２）の保持孔（５）周縁における左右両縁に折目（35）を介して連設されており、一方、前後両縁には支持片は連設されていない。
【００５８】
また、図９（ａ）に示すように、前記折目（35）には、底壁（２）の下面側から底壁（２）の肉厚の略半分の深さまで切り込まれた半切り線（第１半切り線）（41）が当該折目（35）に沿って設けられている。そして、図９（ｂ）に示すように、支持片（３）が当該折目（35）から下方突出状（詳述すると斜め下方突出状）に折り曲げられている。
【００５９】
また、図１に示すように、支持片（３）の両側縁部の上部には突部（４）（４）が側方突出状に設けられ、この突部（４）（４）の下縁が被係止部（4a）（4a）となされている。なお、（4b）は、支持片（３）の側縁部の下部の側端面である。
【００６０】
容器本体（１）の四側壁（６）（６）（７）（７）のうち前側壁（６）及び後側壁（６）の下端中央部には、水平方向に延びた長孔からなる差込み孔（18）（18）が設けられている。
【００６１】
保持部材（20）は、支持片（３）の下方突出状態を保持するためのものであり、腰のある紙シート材から折曲げ製作されおり、図８に展開図で示すように、重合片（21）を有している。本第１実施形態では、保持部材（20）は、容器本体（１）と同じく紙段ボール材（肉厚：例えば１〜４ｍｍ）から製作されており、また重合片（21）は略四角形状（詳述すると正方形状）である。
【００６２】
重合片（21）は、容器本体（１）の底壁（２）の上面に重合されるものであり、底壁（２）の上面と略同じ大きさに形成されている。さらに、この重合片（21）の前記容器本体（１）の保持孔（５）に対応する位置（即ち重合片（21）の中央部）には、第２保持孔（25）が設けられている。この第２保持孔（25）は、重合片（21）が底壁（２）の上面に重合された状態のもとで、受け部材（Ｕ）が嵌め込まれて保持されるものである。この第２保持孔（25）は、前記保持孔（５）と同じ大きさに形成されている。
【００６３】
さらに、図３及び図４に示すように、重合片（21）が底壁（２）の上面に重合した状態のもとで、重合片（21）の第２保持孔（25）周縁における、互いに隣り合う２個の支持片（３）（３）間の位置に対応する部位には、折目（第２折目）（39）を介して保持片（23）が連設されている。詳述すると本第１実施形態では、保持片（23）の全個数は２個であって、この２個の保持片（23）（23）が重合片（21）の第２保持孔（25）周縁における前後両縁に折目（39）を介して連設されており、一方、左右両縁には保持片は連設されていない。
【００６４】
また、図１０（ａ）に示すように、前記折目（39）には、重合片（21）の下面側から重合片（21）の肉厚の略半分の深さまで切り込まれた半切り線（第２半切り線）（42）が当該折目（39）に沿って設けられている。そして、図１０（ｂ）に示すように、保持片（23）が当該折目（39）から下方突出状（詳述すると斜め下方突出状）に折り曲げられている。
【００６５】
また、図１に示すように、保持片（23）の両側縁部の下部には係止片（24）（24）が側方突出状に設けられている。なお、（24b）は、保持片（23）の側縁部の上部の側端面である。
【００６６】
そして、図２及び図６に示すように、重合片（21）が底壁（２）の上面に重合されるとともに、この重合状態のもとで、支持片（３）（３）に保持部材（20）が取り付けられることにより、支持片（３）（３）の下方突出状態が保持されている。この取付け構造について詳述すると、次のとおりである。
【００６７】
すなわち、保持部材（20）の保持片（23）の係止片（24）が、当該保持片（23）と隣接する支持片（３）の側縁部の下部の側端面（4b）に当接した状態で支持片（３）の被係止部（4a）に係止されることにより、支持片（３）の下方突出状態と保持片（23）の下方突出状態とが互いに保持されている。さらに、この状態において、保持片（23）の下縁は容器載置面（Ｓ）に当接しており（図２参照）、そのため、保持片（23）は、支持片（３）と同じく底壁（２）を容器載置面（Ｓ）から浮き上がり状に支持するものとなされている。なお、この発明では、保持片（23）の下縁は容器載置面（Ｓ）に当接していなくても良い。
【００６８】
重合片（21）の周縁における前後両縁には、差込み突部（22）（22）が設けられている。そして、重合片（21）が底壁（２）の上面に重合された状態のもとで、差込み突部（22）が差込み孔（18）に差し込まれて係止されており、これにより、重合片（21）と底壁（２）との重合状態が保持されて、重合片（21）が不本意に底壁（２）の上面から浮き上がらないものとなされ、容器本体（１）の底部が底壁（２）と重合片（21）とからなる二重壁構造に確実に保持されている。
【００６９】
なお、図７において、（19）は、容器本体（１）の各側壁（６）（６）（７）（７）に設けられた窓孔である。
【００７０】
次に、上記第１実施形態の包装用容器（Ａ1）の使用方法の一例を説明する。
【００７１】
まず、展開状態の容器本体（１）を容器載置面（例えば包装作業台の上面）（Ｓ）に載置する。
【００７２】
次いで、図３に示すように、容器本体（１）の支持片（３）（３）を手で折目（35）から下方突出状に折り曲げる。これにより、底壁（２）は支持片（３）（３）によって容器載置面（Ｓ）から浮き上がり状に支持されるが、支持片（３）（３）には該支持片（３）（３）の折目（35）からの折り曲げに伴う弾性復元力が蓄積されているため、この弾性復元力によって支持片（３）（３）が折り曲げ前の元の状態に戻ろうとする。そこで、支持片（３）（３）が元の状態に戻らないようにするため、更には支持片（３）（３）がぐらつかないようにするため、もし仮に片手で支持片（３）（３）を下方突出状に保持し、底壁（２）を容器載置面（Ｓ）から浮き上がらせた状態に支持した場合には、他方の片手で受け部材（Ｕ）を掴んで保持孔（５）に嵌め込まなければならず、受け部材（Ｕ）の保持孔（５）への嵌め込み操作が困難になる。特に、受け部材（Ｕ）が片手では掴み難い大きさや形状であったり、あるいは重かったりした場合には、嵌め込み操作がとても困難になる。その上、仮に受け部材（Ｕ）を保持孔（５）に嵌め込んだとしても、受け部材（Ｕ）で受けられた観賞植物（Ｈ）や花止め部材（53）の重さによって支持片（５）が傾倒してしまうという問題が生じる。
【００７３】
そこで、本第１実施形態では、このような難点を解消するため、図３及び図４に示すように、支持片（３）（３）に保持部材（20）を取り付け、支持片（３）（３）の下方突出状態を保持部材（20）によって保持する。この保持部材（20）の取付け操作は次のように行われる。
【００７４】
図３及び図４に示すように、保持部材（20）の重合片（21）を底壁（２）の上面に重合するとともに、保持片（23）（23）を折目（39）から下方突出状に折り曲げる。この保持片（23）（23）の折曲げ操作は、重合片（21）を底壁（２）の上面に重合させた状態で行うことが、折曲げ操作を容易に行い得るようになる点で、望ましい。
【００７５】
次いで、保持片（23）の係止片（24）を、当該保持片（23）と隣接する支持片（３）の側縁部の下部の側端面（4b）に当接させた状態で支持片（３）の被係止部（4a）に係止させる（図１及び図６参照）。これにより、支持片（３）（３）の下方突出状態と保持片（23）（23）の下方突出状態とが互いに保持される。なお、この係止状態では、支持片（３）の側縁部の下部の側端面（4b）は上述したように保持片（23）の係止片（24）に当接し、且つ、保持片（23）の側縁部の上部の側端面（24b）は支持片（３）の突部（４）に当接している。
【００７６】
次いで、図４及び図５に示すように、観賞植物（Ｈ）を受けた受け部材（Ｕ）を両手（片手でも良い。）で持ってこれを保持孔（５）及び第２保持孔（25）に嵌め込んで保持する。こうして受け部材（Ｕ）が嵌め込まれた状態では、支持片（３）（３）と保持片（23）（23）は受け部材（Ｕ）の対応する側壁（52）（52）（52）（52）の外面に重合されており（図２参照）、また、受け部材（Ｕ）の底壁（51）は容器載置面（Ｓ）に当接し又は容器載置面（Ｓ）から浮き上がっている。
【００７７】
次いで、容器本体（１）の四側壁（６）（６）（７）（７）を折目（30）から底壁（21）に対して立ち上がり状に折り曲げる。本第１実施形態では、四側壁（６）（６）（７）（７）のうち、まず左右両側壁（７）（７）を折目（30）から折り曲げ、しかる後、後述するように前後両側壁（６）（６）を折目（30）から折り曲げる。
【００７８】
こうして左右両側壁（７）（７）を折目（30）から折り曲げたのち、図６に示すように、両上壁片（９）（９）を折目（31）から内側に略水平状に折り曲げることにより、容器本体（１）の上壁（10）を形成するとともに、更に、両提手構成片（11）（11）を折目（32）から立ち上がり状に折り曲げて互いに合掌状に重合することにより、提手片（12）を形成する。
【００７９】
そして、両内フラップ（８）（８）を折目（33）から内側に左右各側壁（７）（７）に対して垂直に折り曲げる。次いで、差込み片（15）（15）を折目（34）から前後各側壁（６）（６）に対して垂直に折り曲げるとともに、前後各側壁（６）（６）を折目（30）から底壁（２）に対して立ち上がり状に折り曲げる。この前後各側壁（６）（６）の折曲げ操作により、差込み突部（22）が差込み孔（18）に差込み係止され、重合片（21）が底壁（２）の上面に重合された状態に保持される。そして、差込み片（15）を上壁（10）と両内フラップ（８）（８）の上縁との間の隙間に差し込むことにより、前後各側壁（６）（６）を立ち上がり状態に保持する。さらに、この差込み操作によって、爪片（8a）に切欠き部（6a）が係止され、これにより差込み片（15）が不本意に抜出しないものとなされて、前後各側壁（６）（６）の立ち上がり状態が保持される。
【００８０】
次いで、提手用保持片（16）（16）を折目（36）から折り曲げ、差込み孔（17）（17）に、合掌状に重合された両提手構成片（11）（11）の両係止突部（13）（13）を差し込んで係止することにより、両提手構成片（11）（11）が合掌状に保持される。これにより、四側壁（６）（６）（７）（７）の底壁（２）に対する立ち上がり状態が強固に保持され、四側壁（６）（６）（７）（７）が不本意に開かないものとなる。
【００８１】
以上の操作により、観賞植物（Ｈ）が受け部材（Ｕ）ごと容器本体（１）内に収容されて包装される。
【００８２】
次いで、提手片（12）を手で持って容器（Ａ1）（容器本体（１））を持ち運ぶ。このとき、容器本体（１）内において受け部材（Ｕ）は保持孔（５）及び第２保持孔（25）に嵌め込まれているから、持ち運び時の振動で受け部材（５）が動くという不具合は防止される。したがって、観賞植物（Ｈ）が容器本体（１）内面に接触して擦れたり、更には受け部材（Ｕ）が倒れたりするという不具合を防止することができる。
【００８３】
一方、容器本体（１）内から観賞植物（Ｈ）を取り出す場合には、上述した包装作業を逆に行えば良い。その作業の一例を簡潔に説明すると、次のとおりである。
【００８４】
まず、容器本体（１）をテーブル等の容器載置面（Ｓ）に載置する。そして、両提手構成片（11）（11）の両係止突部（13）（13）を提手用保持片（16）（16）の差込み孔（17）（17）から抜き出したのち、四側壁（６）（６）（７）（７）を折目（30）から外側へ略水平状に折り曲げて容器本体（１）を展開する。この状態にしてから、観賞植物（Ｈ）を受け部材（Ｕ）ごと取り出す。あるいは、四側壁（６）（６）（７）（７）を同時に折り曲げるのではなく、前側壁（６）（又は後側壁（６））だけを外側へ折り曲げて容器本体（１）の前側面（又は後側面）を開口させ、この開口を通じて観賞植物（Ｈ）を取り出しても良い。
【００８５】
而して、この包装用容器（Ａ1）によれば、容器本体（１）を容器載置面（Ｓ）に載置した状態では、容器本体（１）の底壁（２）は支持片（３）と保持片（23）とによって容器載置面（Ｓ）から浮き上がり状に支持されている。そのため、保持孔（５）及び第２保持孔（25）（以下、両方の保持孔をまとめて「保持孔（５）（25）」という。）に受け部材（Ｕ）を嵌め込む際に、容器本体（１）を持ち上げる必要がない。さらに、受け部材（Ｕ）を両手で掴んで保持孔（５）（25）への嵌め込み操作を行うことができるので、もし仮に受け部材（Ｕ）が片手では掴み難い大きさや形状のものであったり、あるいは重かったりした場合であっても、保持孔（５）（25）への嵌め込み作業、即ち包装操作を容易に行うことができる。
【００８６】
その上、支持片（３）に、該支持片（３）の下方突出状態を保持する保持部材（20）が取り付けられているから、支持片（３）の下方突出状態が保持部材（20）によって保持されている。そのため、受け部材（Ｕ）を保持孔（５）（25）に嵌め込む際に支持片（３）がぐらつかなくなり、その結果、受け部材（Ｕ）の保持孔（５）（25）への嵌め込み作業、即ち包装作業を更に容易に行うことができる。
【００８７】
もとより、容器本体（１）は提手片（12）を有しているから、持ち運びに便利である。
【００８８】
また、この包装用容器（Ａ1）では、持ち運び時において、容器本体（１）の底部は、底壁（２）と重合片（21）とからなる二重壁に形成されているから頑丈であり、そのため、観賞植物（Ｈ）、花止め部材（52）及び受け部材（Ｕ）が重いものであっても、容器本体（１）の底部がこれらの重みで湾曲したり更には容器本体（１）の底が抜けるという不具合を防止することができる。
【００８９】
さらに、保持部材（20）の保持片（23）の係止片（24）が、当該保持片（23）と隣接する支持片（３）の被係止部（4a）に係止されることにより、支持片（３）の下方突出状態と保持片（23）の下方突出状態とが互いに保持されていることから、容器本体（１）の底壁（２）の浮き上がり状態は支持片（３）だけではなく係止片（23）によっても支持されている。そのため、底壁（２）を浮き上がり状態にしっかりと支持することができる。
【００９０】
さらに、保持部材（20）は重合片（21）を有しているので、重合片（21）を底壁（２）の上面に重合させた状態で係止片（24）の被係止部（4a）への係止操作を行うことができ、そのため、この係止操作を容易に行うことができる。
【００９１】
また、図９（ａ）及び（ｂ）に示すように、底壁（２）の保持孔（５）周縁の折目（35）に半切り線（第１半切り線）（41）が設けられているので、この折目（35）から支持片（３）を確実に折り曲げることができる。しかも、この折目（35）から支持片（３）を下方突出状に折り曲げることにより、支持片（３）に弾性復元力（その方向Ｆ1）が蓄積され、この弾性復元力によって係止片（24）の被係止部（4a）への係止状態を保持することができる。しかるに、本第１実施形態のように底壁（２）の下面側から底壁（２）の肉厚の略半分の深さまで切り込まれた半切り線（41）が折目（35）に設けられた場合における、該折目（35）から下方突出状に折り曲げられた支持片（３）に蓄積される弾性復元力と、これとは反対に、底壁（２）の上面側から底壁（２）の肉厚の略半分の深さまで切り込まれた半切り線が折目（35）に設けられた場合における、該折目（35）から下方突出状に折り曲げられた支持片（３）に蓄積される弾性復元力とについて、その大きさを比較すると、前者の場合の方が弾性復元力が大きい。したがって、係止片（24）の被係止部（4a）への係止状態を強固に保持することができる。
【００９２】
また保持片（23）についても上と同じく、図１０（ａ）及び（ｂ）に示すように、重合片（21）の第２保持孔（25）周縁の折目（39）に半切り線（第２半切り線）（42）が設けられるので、この折目（39）から保持片（23）を確実に折り曲げることができる。しかも、この折目（39）から保持片（23）を下方突出状に折り曲げることにより、保持片（23）に弾性復元力（その方向Ｆ2）が蓄積され、この弾性復元力によって係止片（24）の被係止部（4a）への係止状態を保持することができる。しかるに、本第１実施形態のように重合片（21）の下面側から重合片（21）の肉厚の略半分の深さまで切り込まれた半切り線（42）が折目（39）に設けられた場合における、該折目（39）から下方突出状に折り曲げられた保持片（23）に蓄積される弾性復元力と、これとは反対に、重合片（21）の上面側から重合片（21）の肉厚の略半分の深さまで切り込まれた半切り線が第２折目（39）に設けられた場合における、該折目（39）から下方突出状に折り曲げられた保持片（39）に蓄積される弾性復元力とについて、その大きさを比較すると、前者の場合の方が弾性復元力が大きい。したがって、係止片（24）の被係止突片（4a）への係止状態を更に強固に保持することができる。
【００９３】
また、この包装用容器（Ａ1）では、重合片（21）の差込み突部（22）が差込み孔（18）に差込み係止されることにより、重合片（21）が底壁（２）の上面に重合された状態に保持されているため、容器本体（１）の底部の二重壁構造を確実に保持することができる。
【００９４】
また、四側壁（６）（６）（７）（７）は、いずれも、底壁（２）の周縁に折目（30）を介して設けられるとともに、折目（30）から外側へ略水平状に折り曲げ可能なものであるから、受け部材（Ｕ）を容器本体（１）内に入れたり出したりする際に、任意の側壁（例えば前側壁（６））を折目（30）から外側へ略水平状に折り曲げることにより、容器本体（１）の側面（例えば前側面）が開口する。この開口を通じて観賞植物（Ｈ）を容器本体（１）内に入れたり出したりすることができる。そのため、包装作業を更に容易に行うことができるし、観賞植物（Ｈ）の取出し作業も行い易いという利点がある。
【００９５】
次に、第２発明の一実施形態（以下、「第２実施形態」という。）に係る包装用容器を説明する。
【００９６】
図１１において、（Ａ2）は、第２実施形態の紙製包装用容器である。
【００９７】
この包装用容器（Ａ2）では、容器本体（１）は、図１４（ａ）と（ｂ）に展開図で示すように、容器本体第１構成片（1A）と容器本体第２構成片（2A）から構成されている。
【００９８】
第１構成片（1A）は、腰のある紙シート材から折曲げ製作されたものであり、四角形状の第１底壁（2A）と、該第１底壁（2A）の前後両縁に第１底壁（2A）に対して立ち上がり状に設けられた互いに対向する一対の前後両側壁（６）（６）とを有している。
【００９９】
第１構成片（1A）の前側壁（６）及び後側壁（６）は、それぞれ、第１底壁（2A）の前縁及び後縁に折目（第３折目）（30）を介して連設されている。また、第１底壁（2A）の左右両縁には、折目（47）を介して第１折返し片（46）（46）が連設されている。そして、この第１折返し片（46）が折目（47）から折り返されて第１底壁（2A）の上面に重合された状態で貼着されることにより（図１２参照）、第１底壁（2A）がこの第１折返し片（46）によって不本意に屈曲しないよう補強されている。
【０１００】
第２構成片（1B）は、腰のある紙シート材から折曲げ製作されたものであり、四角形状の第２底壁（2B）と、該第２底壁（2B）の左右両縁に第２底壁（2B）に対して立ち上がり状に設けられた互いに対向する一対の左右両側壁（７）（７）とを有している。第２底壁（2B）の大きさは、第１底壁（2B）の大きさと略同じである。
【０１０１】
第２構成片（1B）の左側壁（７）及び右側壁（７）は、それぞれ、第２底壁（2B）の左縁及び右縁に折目（第３折目）（30）を介して連設されている。
【０１０２】
そして、第２底壁（2B）が第１底壁（2A）の上面に重合されることにより、前後左右の四側壁（６）（６）（７）（７）を有する容器本体（１）が形成されている。さらに、こうして第２底壁（2B）が第１底壁（2A）の上面に重合されることにより、この容器本体（１）の底壁（２）が形成されている。したがって、この底壁（２）は、第１底壁（2A）と第２底壁（2B）との二重壁から構成されている。
【０１０３】
第１構成片（1A）の第１底壁（2A）の中央部には、受け部材（Ｕ）が嵌め込まれて保持される第１保持孔（５）が設けられている。第１底壁（2A）の第１保持孔（５）周縁における互いに離間した複数の部位には、第１折目（35）を介して複数個の支持片（３）（３）が連設されている。詳述すると本第２実施形態では、支持片（３）の個数は２個であって、この２個の支持片（３）（３）が第１底壁（2A）の第１保持孔（５）周縁における前後両縁に第１折目（35）を介して連設されており、一方、左右両縁には支持片は連設されていない。
【０１０４】
また、第２構成片（1A）の第２底壁（2B）の前後両縁には、折目（49）を介して第２折返し片（48）（48）が連設されている。そして、この第２折返し片（48）が折目（49）から折り返されて第２底壁（2B）の下面に重合された状態で貼着されることにより（図１３参照）、第２底壁（2B）がこの第２折返し片（48）によって不本意に屈曲しないよう補強されている。
【０１０５】
さらに、第２底壁（2B）の前後両縁の中央部には、それぞれ、略コ字状の切目（44）が第２折返し片（48）側に突出して設けられている。そして、第２折返し片（48）が上述のように折目（49）から折り返されることにより、第２底壁（2B）の前後両縁の中央部に差込み突部（22）が切目（44）から切り起こされて形成されている。
【０１０６】
また、第１折目（35）には、上記第１実施形態の包装用容器（Ａ1）と同じく、第１底壁（2A）の下面側から第１底壁（2A）の肉厚の略半分の深さまで切り込まれた第１半切り線（41）が当該第１折目（35）に沿って設けられている。そして、図９（ｂ）に示すように、支持片（３）が当該第１折目（35）から下方突出状（詳述すると斜め下方突出状）に折り曲げられている（図１３参照）。
【０１０７】
また、図１に示すように、支持片（３）の両側縁部の上部には突部（４）（４）が側方突出状に設けられるとともに、この突部（４）（４）の下縁には略Ｖ字状の切欠きが設けられ、この切欠きが被係止部（4a）（4a）となされている。なお、（4b）は、支持片（３）の側縁部の下部の側端面である。
【０１０８】
第２構成片（1B）の第２底壁（2B）の前記第１保持孔（５）に対応する位置（即ち、第２底壁（2B）の中央部）には、受け部材（Ｕ）が嵌め込まれて保持される第２保持孔（25）が設けられている。この第２保持孔（25）は、前記第１保持孔（５）と同じ大きさに形成されている。第２底壁（2B）の第２保持孔（25）周縁における互いに離間した複数の部位には、第２折目（39）を介して複数個の保持片（23）（23）が連設されている。詳述すると本第２実施形態では、保持片（23）の個数は２個であって、この２個の保持片（23）（23）が第２底壁（2B）の第２保持孔（25）周縁における左右両縁に第２折目（39）を介して連設されており、一方、前後両縁には保持片は連設されていない。
【０１０９】
また、第２折目（39）には、上記第１実施形態の包装用容器（Ａ1）と同じく、第２底壁（2B）の下面側から第２底壁（2B）の肉厚の略半分の深さまで切り込まれた第２半切り線（42）が当該第２折目（39）に沿って設けられている。そして、保持片（23）が当該第２折目（39）から下方突出状（詳述すると斜め下方突出状）に折り曲げられている（図１２参照）。
【０１１０】
また、保持片（23）の両側縁部の下部には係止片（24）（24）が側方突出状に設けられている。なお、（24b）は、保持片（23）の側縁部の上部の側端面である。
【０１１１】
本第２実施形態の包装用容器（Ａ2）では、第２構成片（1B）の第２底壁（2B）及び保持片（23）が、上記第１実施形態の容器（Ａ1）における保持部材（20）の重合片（21）及び保持片（23）にそれぞれ対応している。
【０１１２】
そして、上記第１実施形態の包装用容器（Ａ1）と同じく、第２底壁（2B）が第１底壁（2A）の上面に重合された状態のもとで、保持片（23）の係止片（24）が、当該保持片（23）と隣接する支持片（３）の側縁部の下部の側端面（4b）に当接した状態で支持片（３）の被係止部（4a）に係止されることにより、支持片（３）の下方突出状態と保持片（23）の下方突出状態とが互いに保持されている。さらに、この状態において、保持片（23）の下縁は容器載置面（Ｓ）に当接しており、そのため、保持片（23）は、支持片（３）と同じく底壁（２）を容器載置面（Ｓ）から浮き上がり状に支持するものとなされている。なお、この発明では、保持片（23）の下縁は容器載置面（Ｓ）に当接していなくても良い。
【０１１３】
第１構成片（1A）の前側壁（６）及び後側壁（６）の下端中央部には、水平方向に延びた切目からなる差込み孔（18）（18）が設けられている。
【０１１４】
第２構成片（1B）の第２底壁（2B）の周縁における前後両縁には、差込み突部（22）（22）が設けられている。そして、第２底壁（2B）が第１底壁（2A）の上面に重合された状態のもとで、差込み突部（22）が差込み孔（18）に差し込まれて係止されており、これにより、第１底壁（2A）と第２底壁（2B）との重合状態が保持されて、第２底壁（2B）が不本意に第１底壁（2A）の上面から浮き上がらないものとなされ、容器本体（１）の底部が第１底壁（2A）と第２底壁（2B）とからなる二重壁構造に確実に保持されている。
【０１１５】
なお、図１１において、（9a）は、容器本体の上壁（10）に設けられた窓孔である。
【０１１６】
本第２実施形態の容器（Ａ2）の他の構成は、上記第１実施形態の容器（Ａ1）と同じであり、重複する説明を省略する。
【０１１７】
而して、上記第２実施形態の包装用容器（Ａ2）は、上記第１実施形態の包装用容器（Ａ1）と同じ利点を有することはもとより、更に次の利点を有する。すなわち、この包装用容器（Ａ2）は、所定の容器本体第１構成片（1A）と容器本体第２構成片（1B）とを備え、第２構成片（1A）の第２底壁（2A）が第１構成片（1B）の第１底壁（2B）の上面に重合されることにより、前後左右の四側壁（６）（６）（７）（７）を有する容器本体（１）が形成されたものであるから、容器本体（１）（即ち容器（Ａ2））を保管や運搬する際に、該容器本体（１）（容器（Ａ2））を図１３の展開図のように第１構成片（1A）と第２構成片（1B）とに分離することができる。そのため、容器本体（１）をコンパクトな状態で保管・運搬することができる。
【０１１８】
さらに、この包装用容器（Ａ2）では、第１折返し片（46）が折目（47）から折り返されて第１底壁（2A）の上面に重合貼着され、及び、第２折返し片（48）が折目（49）から折り返されて第２底壁（2B）の下面に重合貼着されているので、次のような利点がある。
【０１１９】
すなわち、第１折返し片（46）が第１底壁（2A）の上面に重合貼着されることにより、第１底壁（2A）がこの第１折返し片（46）によって補強される。これと同じく、第２折返し片（48）が第２底壁（2B）の下面に重合貼着されることにより、第２底壁（2B）がこの第２折返し片（48）によって補強される。そのため、被包装物（即ち、観賞植物（Ｈ）、花止め部材（53）、受け部材（Ｕ））が重いものであっても、容器本体（１）の底部が被包装物の重みで湾曲したり更には容器本体（１）の底が抜けたりする不具合をより一層確実に防止することができる。
【０１２０】
以上で、この発明の好ましい幾つかの実施形態に係る包装用容器を説明したが、この発明は上記実施形態に示したものに限定されるものではなく、様々に設定変更可能である。
【０１２１】
例えば、上記第１及び第２実施形態では、被包装物としての観賞植物（Ｈ）は受け部材（Ｕ）で受けられているが、この発明では、被包装物は観賞植物に限定されるものではないし、受け部材で受けられている必要もない。すなわち、本第１及び第２発明では、被包装物が保持孔（５）（及び第２保持孔（25））に直接、嵌め込まれて保持されるものであっても良い。
【０１２２】
また、上記第１及び第２実施形態では、容器本体（１）に提手片（12）が一体に設けられたものであるが、本第１及び第２発明では、容器本体（１）とは別体の提手片が容器本体に取り付けられていても良いし、あるいは容器本体（１）は提手のないものであっても良い。
【０１２３】
また、上記第２実施形態では、第１折返し片（46）は、第１底壁（2A）の上面に貼着されているが、本第２発明では第１底壁（2A）の下面に貼着されていても良い。また、上記第２実施形態では、第２折返し片（48）は、第２底壁（2B）の下面に貼着されているが、本第２発明では第２底壁（2B）の上面に貼着されていても良い。
【産業上の利用可能性】
【０１２４】
本発明に係る包装用容器は、観賞植物をはじめ様々な被包装物を持ち運ぶ際に好適に用いられる包装用容器として適用可能である。
【図面の簡単な説明】
【０１２５】
【図１】第１発明の一実施形態に係る包装用容器の斜視図である。
【図２】図１中のＰ−Ｐ線断面図である。
【図３】同包装用容器の包装操作を説明する図であって、容器本体の支持片に保持部材を取り付ける途中の状態を示す斜視図である。
【図４】同包装用容器の包装操作を説明する図であって、容器本体の保持孔及び第２保持孔に受け部材を嵌め込む途中の状態を示す斜視図である。
【図５】図４中のＸ−Ｘ線断面図である。
【図６】同包装用容器の包装操作を説明する図であって、容器本体の側壁を立ち上がり状に折り曲げる途中の状態を示す斜視図である。
【図７】同包装用容器の容器本体の展開図である。
【図８】同包装用容器の保持部材の展開図である。
【図９】（ａ）は図７中のＹ−Ｙ線断面図、（ｂ）は容器本体の側壁と支持片を折り曲げた状態で示す、（ａ）の部分の断面図である。
【図１０】（ａ）は図８中のＺ−Ｚ線断面図、（ｂ）は受け部材の保持片を折り曲げた状態で示す、（ａ）の部分の断面図である。
【図１１】第２発明の一実施形態に係る包装用容器における、図６に対応する斜視図である。
【図１２】図１１中のＶ−Ｖ線断面図である。
【図１３】図１１中のＷ−Ｗ線断面図である。
【図１４】（ａ）は同包装用容器の容器本体第１構成片の展開図、（ｂ）は同包装用容器の容器本体第２構成片の展開図である。
【符号の説明】
【０１２６】
Ａ1、Ａ2：包装用容器
１：容器本体
２：底壁
３：支持片
4a：被係止部
５：保持孔（第１保持孔）
６：前後の側壁
７：左右の側壁
10：上壁
12：提手片
18：差込み孔
20：保持部材
21；重合片
22：差込み突部
23：保持片
24：係止片
25：第２保持孔
30：折目（第３折目）
35：折目（第１折目）
39：折目（第２折目）
41：半切り線（第１半切り線）
42：半切り線（第２半切り線）
Ｈ：観賞植物（被包装物）
Ｕ：受け部材（被包装物受け部材）
Ｓ：容器載置面
【図１】
2005132379.tif 000003
【図２】
2005132379.tif 000004
【図３】
2005132379.tif 000005
【図４】
2005132379.tif 000006
【図５】
2005132379.tif 000007
【図６】
2005132379.tif 000008
【図７】
2005132379.tif 000009
【図８】
2005132379.tif 000010
【図９】
2005132379.tif 000011
【図１０】
2005132379.tif 000012
【図１１】
2005132379.tif 000013
【図１２】
2005132379.tif 000014
【図１３】
2005132379.tif 000015
【図１４】
2005132379.tif 000016